(57)【特許請求の範囲】
【請求項１】
傾斜を持った設置構造上に複数配列される桟と、
前記桟に固定された固定部連結板の上端に設けられたモジュール固定部により、太陽電池モジュールの横フレームの一部を押さえて固定する太陽電池モジュール固定部材と、
前記桟に固定され、複数配列される太陽電池モジュールの隣り合う前記横フレームの間から前記太陽電池モジュールの上面より上方に突出する雪止め板を備えた雪止め部材と
を有し、
前記雪止め板と前記固定部連結板とが、前記複数の太陽電池モジュールが配列される水平方向である横方向から見て重なるように配置されることを特徴とする太陽電池モジュール施工部材。
【請求項２】
傾斜を持った設置構造上に複数配列される桟と、
前記桟に固定され、太陽電池モジュールの横フレームの一部を押さえて固定する太陽電池モジュール固定部材と、
前記桟に固定され、複数配列される太陽電池モジュールの隣り合う前記横フレームの間から前記太陽電池モジュールの上面より上方に突出する雪止め板を備えた雪止め部材とを有し、
前記太陽電池モジュール固定部材は、前記雪止め板に設けられた開口部の内側で前記太陽電池モジュールを固定することを特徴とする太陽電池モジュール施工部材。
【請求項３】
傾斜を持った設置構造上に複数配列される桟と、
前記桟に固定され、太陽電池モジュールの横フレームの一部を押さえて固定する太陽電池モジュール固定部材と、
前記桟に固定され、複数配列される太陽電池モジュールの隣り合う前記横フレームの間から前記太陽電池モジュールの上面より上方に突出する雪止め板を備えた雪止め部材と、
前記太陽電池モジュール固定部材と前記雪止め部材とを横方向に並べて支持する太陽電池モジュール支持部材と
を有することを特徴とする太陽電池モジュール施工部材。
【請求項４】
前記太陽電池モジュール支持部材の横方向の長さが前記太陽電池モジュールの横方向の長さと等しいことを特徴とする
請求項３に記載の太陽電池モジュール施工部材。
【請求項５】
複数の太陽電池モジュールと、
前記複数の太陽電池モジュールを設置構造上に固定する請求項１から４のいずれか１項に記載の太陽電池モジュール施工部材と
を有する太陽電池システム。
【発明の詳細な説明】
【技術分野】
【０００１】
本発明は、複数の太陽電池モジュールを屋根等に設置するのに用いられる太陽電池モジュール施工部材、及び太陽電池モジュール施工部材と複数の太陽電池モジュールとを備えてなる太陽電池システムに関する。
【背景技術】
【０００２】
太陽電池モジュールは、一般的に、住宅の屋根等の傾斜面に設置される。積雪の多い地域では、太陽電池モジュール上に雪が積もった場合、降雪後に溶け出して一気に滑落し易い。
【０００３】
そこで、太陽電池モジュール施工部材に雪止め用の突起を設けることで太陽電池モジュール上に積雪した雪が一気に滑落することを防ぐ事が考えられている。
【０００４】
特許文献１，２，３の先行技術では、太陽電池モジュール固定用カバーや固定用金具と一体化した雪止め突起で雪止めすることを特徴としている。
【先行技術文献】
【特許文献】
【０００５】
【特許文献１】特開２０００−３４５６６８号公報
【特許文献２】特開２００４−３３２３８４号公報
【特許文献３】特開２００４−１５０１３７号公報
【発明の概要】
【発明が解決しようとする課題】
【０００６】
太陽電池モジュール施工部材において、太陽電池モジュールを固定するための部材と雪止め部とを別体として設けて、固定の機能に必要な構成と、雪止めのために必要な構成とを、それぞれ別々に最適な構成として選択する事により、安価な太陽電池モジュール施工部材を提供することを目的とする。
【課題を解決するための手段】
【０００７】
この発明の太陽電池モジュール施工部材は、傾斜を持った設置構造上に複数配列される桟と、前記桟に固定された固定部連結板の上端に設けられたモジュール固定部により、太陽電池モジュールの横フレームの一部を押さえて固定する太陽電池モジュール固定部材と、前記桟に固定され、複数配列される太陽電池モジュールの隣り合う前記横フレームの間から前記太陽電池モジュールの上面より上方に突出する雪止め板を備えた雪止め部材とを有し、前記雪止め板と前記固定部連結板とが、前記複数の太陽電池モジュールが配列される水平方向である横方向から見て重なるように配置されることを特徴とする。
また、傾斜を持った設置構造上に複数配列される桟と、前記桟に固定され、太陽電池モジュールの横フレームの一部を押さえて固定する太陽電池モジュール固定部材と、前記桟に固定され、複数配列される太陽電池モジュールの隣り合う前記横フレームの間から前記太陽電池モジュールの上面より上方に突出する雪止め板を備えた雪止め部材とを有し、
前記太陽電池モジュール固定部材は、前記雪止め板に設けられた開口部の内側で前記太陽電池モジュールを固定することを特徴とする。
また、傾斜を持った設置構造上に複数配列される桟と、前記桟に固定され、太陽電池モジュールの横フレームの一部を押さえて固定する太陽電池モジュール固定部材と、前記桟に固定され、複数配列される太陽電池モジュールの隣り合う前記横フレームの間から前記太陽電池モジュールの上面より上方に突出する雪止め板を備えた雪止め部材と、  前記太陽電池モジュール固定部材と前記雪止め部材とを横方向に並べて支持する太陽電池モジュール支持部材とを有することを特徴とする。
【発明の効果】
【０００８】
本発明によれば、雪止め機能を有する太陽電池モジュール施工部材を、安価に提供することができる。
【図面の簡単な説明】
【０００９】
【図１】本発明の実施の形態１の太陽電池システムの分解斜視図。
【図２】本発明の実施の形態１の太陽電池システムの斜視図。
【図３】本発明の実施の形態１の太陽電池モジュール施工部材の断面図。
【図４】本発明の実施の形態１の太陽電池モジュール施工部材の、図３のＡ−Ａ断面図。
【図５】本発明の実施の形態１の太陽電池モジュール固定部材の斜視図。
【図６】本発明の実施の形態１の雪止め部材の斜視図。
【図７】本発明の実施の形態１の太陽電池モジュール固定部材と雪止め部材を組み立てた斜視図。
【図８】本発明の実施の形態１の縦桟の斜視図。
【図９】本発明の実施の形態１の太陽電池モジュールの断面図。
【図１０】本発明の実施の形態２の太陽電池システムの分解斜視図。
【図１１】本発明の実施の形態２の太陽電池システムの斜視図。
【図１２】本発明の実施の形態２の太陽電池モジュール施工部材の太陽電池モジュール固定部材の位置での断面図。
【図１３】本発明の実施の形態２の太陽電池モジュール施工部材の雪止め部材の位置での断面図。
【図１４】本発明の実施の形態３の太陽電池システムの分解斜視図。
【図１５】本発明の実施の形態３の太陽電池システムの斜視図。
【発明を実施するための形態】
【００１０】
実施の形態１ ．
以下、この発明の実施の形態１を添付図面に基づき詳細に説明する。
図１は本発明の実施の形態１の分解斜視図である。
図２は本発明の実施の形態１の斜視図である。
図３は本発明の実施の形態１の太陽電池モジュール施工部材の断面図である。
図４は本発明の実施の形態１の太陽電池モジュール施工部材の、図３のＡ−Ａ断面図である。
【００１１】
図１〜図４によって示す本実施の形態１の太陽電池モジュール施工部材は、太陽光発電の主体となる平盤形態をした太陽電池モジュール１０を住宅の屋根等の設置構造２０に敷き並べた状態に施工する施工部材に関するものである。太陽電池モジュール１０は、図１に示すように方形の平板状に構成された光発電機能体である太陽電池パネルの周辺にアルミ製等のフレームを装着した構成である。
【００１２】
施工部材は、この複数の太陽電池モジュール１０を屋根等の設置構造２０に縦横に敷き並べて固定するものである。ここで、横方向とは水平方向の事であり図中Ｘの方向である。縦方向とは、屋根の傾斜に沿って軒側（下側）から棟側（上側）に向かう方向の事であり、図中Ｙの方向である。
屋根等の設置構造２０は、屋根の傾斜に沿って垂木が縦方向に並列に複数配置されているのが一般的な構造である。この垂木上に施工部材を固定する事により、屋根等の設置構造２０への固定強度の強い太陽電池モジュール施工部材を得ることが出来る。
垂木のピッチは屋根によって様々であるが、例えば１尺（３０３ｍｍ）、１尺５寸（４５５ｍｍ）、２尺（６０６ｍｍ）といったピッチが一般的に用いられる。
複数の太陽電池モジュール１０を屋根に敷き並べて施工部材で固定することにより、太陽電池システムが構成される。
太陽電池モジュール１０は、例えば横１６６０ｍｍ、縦８６０ｍｍの大きさで、屋根の上に例えば図２のように横５列、縦４段に並べられる。
太陽電池モジュール１０の大きさや縦横に並べる数については、屋根の大きさに合わせて任意に選択される。
【００１３】
本発明の実施の形態１の太陽電池モジュール施工部材の断面図を図３に示す。本発明の実施の形態１の太陽電池モジュール施工部材は、屋根等の設置構造２０上に縦方向に複数配列される縦桟３と、縦桟３上に固定され、複数配列される太陽電池モジュール１０の隣り合う横フレームに設けられたモジュールフランジ７２の一部を押さえて固定する太陽電池モジュール固定部材１と、太陽電池モジュール固定部材１とは別体として設けられ、桟３に固定され、複数配列される太陽電池モジュール１０の隣り合う横フレームの間から太陽電池モジュール１０の上面より上方に突出する雪止め板を備えた雪止め部材８と、縦桟３の滑り式固定部材保持部５６に挿入され、太陽電池モジュール固定部材１と雪止め部材８とを縦桟３に固定するための桟固定部材４と、雪止め部材８と太陽電池モジュール固定部材１と縦桟３と桟固定部材４とを固定する桟固定ボルト５とを有する。
太陽電池システムは太陽電池モジュール施工部材と複数の太陽電池モジュール１０とを有する。太陽電池モジュール施工部材により、複数の太陽電池モジュール１０が設置構造２０上に固定される。
【００１４】
本発明の実施の形態１の太陽電池モジュール施工部材について、図１、図２、図３、図４、図５、図６、図７、図８、図９で詳細に説明する。
【００１５】
図８は縦桟３の斜視図である。
縦桟３は、図１、図８に示すように、断面が長方形状で上面に開口部を有し、断面と直交する縦方向（Ｙ方向）に長く伸びた形状を有する。縦桟３の断面形状の詳細は図４、図８に示されている。縦桟３は、上部に縦桟天板５１と、両側面に縦桟側面板５２と、底面に縦桟底面板５３を有する。縦桟天板５１の中心部に開口部５４を有する。開口部５４は、長手方向の全長に渡って形成されている。両方の縦桟側面板５２には、内側に向けて滑り式固定部材保持板５５が設けられている。両側の縦桟天板５１と縦桟側面板５２と滑り式固定部材保持板５５に囲まれて滑り式固定部材保持部５６が構成される。底面板５３には、縦桟３を設置構造２０に固定するための固定穴が設けられており、施工部材固定ねじ２１により縦桟３が設置構造２０に固定される。
【００１６】
なお、本発明の実施の形態１では、桟を縦方向に設置する例について説明したが、桟を設置する方向については縦方向に限るものではない。桟を横方向や斜め方向に設置しても構わない。あるいは、桟を横方向に設置し、その上にさらに縦方向に桟を設置しても構わない。屋根等の設置構造２０上に桟を設置し、その上に太陽電池モジュールを載置することができれば、桟を設置する方向はどの方向でも構わない。
【００１７】
太陽電池モジュール固定部材１の斜視図を図５に示す。太陽電池モジュール固定部材１は、底面板３１と、底面板３１の端部から底面板と垂直上方に設けられた側面板３２と、底面板３１の中間部から底面板３１と垂直上方に設けられた中間板３３と、側面板３２の上端と中間板３３の上端を底面板３１と平行に連結し、中間板３３の外側まで張り出した天板３４と、モジュールを固定するモジュール固定部３５と、天板３４の中央部より垂直上方に設けられて上端でモジュール固定部３５と連結する固定部連結板３６とを有する。
底面板３１は側面板３２と中間板３３を連結し、中間板３３の外側まで張り出して底面板固定部３７を形成する。底面板固定部３７には、桟固定ボルト５を通すための固定穴３８が設けられている。
天板３４から上方に固定部連結板３６が設けられ、上端にモジュール固定部３５を有する。モジュール固定部３５は、両端にモジュールフランジに固定するためのモジュール固定突部３９を有する。モジュール固定突部３９はモジュール固定部３５の下側に突起部として形成され、モジュールフランジを固定する。
太陽電池モジュール固定部材１は、横方向に縦桟３の位置の上に配置する２個で、太陽電池モジュール１０を棟側のモジュールフランジの２箇所と軒側のモジュールフランジの２箇所の合計４箇所で固定する。太陽電池モジュール固定部材１の横幅としては、太陽電池モジュール１０の荷重を４箇所で支えるのに必要な幅が適宜選択される。太陽電池モジュール固定部材１の横幅は太陽電池モジュール１０の横幅よりも短く、太陽電池モジュール固定部材１は太陽電池モジュール１０の横フレームの一部を押さえて固定する。例えば横幅が１５０ｍｍの太陽電池モジュール固定部材１を２個用いて太陽電池モジュール１０を支えることが出来る。
【００１８】
雪止め部材８の斜視図を図６に示す。雪止め部材８は、雪止め板４１と雪止め固定板４２を有する。雪止め固定板４２の端部から垂直上方に雪止め板４１が設けられる。雪止め板４１の中央部には、雪止め板開口部４３が設けられている。図７に太陽電池モジュール固定部材１と雪止め部材８とを組み立てた斜視図を示す。図３、図４、図７に示すように、太陽電池モジュール固定部材１と雪止め部材８を組み立てた状態では、太陽電池モジュール固定部材１のモジュール固定部３５と固定部連結板３６は、雪止め板開口部４３の内側に配置される。雪止め部材１の横幅は太陽電池モジュール固定部材１の横幅よりも長く、雪止め部材１は太陽電池モジュール固定部材１を囲うように設けられる。例えば横幅が２００ｍｍの雪止め部材８を２個用いて太陽電池モジュール１０の上面の積雪を支えることが出来る。
【００１９】
桟固定部材４は、長方形の板状部材であり、中央部に桟固定ボルト５をネジ止めするためのネジ穴を有する。桟固定部材４は、図４に示されるように、縦桟３の滑り式固定部材保持部５６よりも小さい外形で形成され、滑り式固定部材保持部５６に挿入されて縦方向に任意の位置まで滑って移動する。
【００２０】
図９は太陽電池モジュール１０の断面図である。
太陽電池モジュール１０は、太陽電池パネル７と太陽電池モジュールフレーム６を有する。太陽電池モジュールフレーム６は、太陽電池パネル７の縦方向の両側面を覆う横フレームと、太陽電池パネル７の横方向の両側面を覆う図示しない側面フレームとを有する。横フレームは、太陽電池パネル７の軒側を覆う軒側横フレーム６１と、太陽電池パネル７の棟側を覆う棟側横フレーム６２とを有する。なお、軒側横フレーム６１と棟側横フレーム６２とは同じ断面形状を有し、１８０度回転した状態で軒側と棟側を覆っている。従って、太陽電池モジュール１０をフレーム下面７４に垂直な軸（Ｚ軸）の周りに１８０度回転させても太陽電池モジュールフレーム６は同じ形状となる。
太陽電池パネル７は、タブ線により電気的に直列接続した複数の太陽電池セルを、充填材層を形成する透明加熱融着剤のシートに挟んで、これを透明な表面保護基板と耐候性フィルム等の裏面保護材との間に挟持して、真空引きしながら加熱して方形盤状のパネルに構成されている。
【００２１】
なお、太陽電池セルとしては、単結晶シリコン太陽電池、多結晶シリコン太陽電池などのいずれを使用しても良い。また、太陽電池パネル１９としては、透明な表面保護基板上に薄膜系太陽電池を形成したものであっても良い。太陽電池パネルは、方形の平盤態に構成された光発電機能体であれば、どのような構成であっても良い。
【００２２】
棟側フレーム６１は、フレーム側面７１と、フレーム側面７１の中間付近から張り出し、架台３のフランジ保持面１５に載置されるモジュールフランジ７２と、太陽電池モジュール１０の上面となるフレーム上面７３と、架台３の下側フレーム保持面１８に載置されるフレーム下面７４と、太陽電池パネル７を支持するパネル保持面７５とを有する。
太陽電池パネル７の上面とフレーム上面７３とにより太陽電池モジュール１０の上面が形成される。
【００２３】
縦桟３、太陽電池モジュール固定部材１、桟固定部材４、雪止め部材８の断面形状は、長手方向の全長に渡って同一形状であり、長手方向のどの位置で切っても同じ断面を有する。また、縦桟３、太陽電池モジュール固定部材１、桟固定部材４の材料はアルミで形成されており、押し出し加工により成型される。
【００２４】
次に、本発明の実施の形態１の太陽電池システムの施工手順を示す。
施工手順としては、まず縦桟３を屋根の垂木に施工部材固定ねじ２１で固定する。ここで、太陽電池モジュール１０の横幅と垂木のピッチは一致しないが、太陽電池モジュール１の横幅は垂木ピッチの２倍以上はあるので、太陽電池モジュール１０の下には必ず２本以上の垂木があり、太陽電池モジュール１０を２本の縦桟３上に固定することが可能となる。
【００２５】
なお、縦桟３を屋根へ固定する方法は、垂木固定に限らない。屋根の構造としては、垂木の上に野地板を張った構造が一般的であるので、縦桟３を野地板に固定することにより屋根に固定しても構わない。
【００２６】
次に、太陽電池モジュール固定部材１と雪止め部材８と太陽電池モジュール１０を軒側から順に施工する。
まず、縦桟３の滑り式固定部材保持部５６に縦桟固定部材４を挿入する。次に太陽電池モジュール固定用部材１を縦桟３の上に載置する。次に太陽電池モジュール固定用部材１の底面板固定部３７の上に雪止め部材８を載置する。雪止め部材８の雪止め板の中央部には開口部が設けられており、雪止め部材８を載置した状態では、雪止め部材８の雪止め板の開口部の内側に太陽電池モジュール固定部材１のモジュール固定部３５が配置される。即ち、太陽電池モジュール固定部材１は、雪止め板４１に設けられた雪止め板開口部４３の内側で太陽電池モジュール１０を固定する。次に、縦桟固定ボルト５を雪止め部材８の固定穴と太陽電池モジュール固定部材１の固定穴に通し、縦桟３の滑り式固定部材保持部５６内に挿入された桟固定部材４のネジ穴に締めこんで雪止め部材８と太陽電池モジュール固定部材１を縦桟３に固定する。
ここで、縦桟３の縦桟天板５１には縦方向の全長に渡って開口部５４が設けられているので、縦桟３の縦方向の任意の位置で太陽電池モジュール固定部材１を縦桟３に固定することができる。
【００２７】
次に図３のように、太陽電池モジュール１０の軒側のモジュールフランジ７２を、太陽電池モジュール固定部材１の固定部連結板３６に接触させながらモジュール固定突部３９に噛みこませて、太陽電池モジュール１０を縦桟３の上に載置する。太陽電池モジュール固定用部材１の底面からモジュール固定突部３９の下端までの高さは、太陽電池モジュール１の底面からモジュールフランジの上面までの高さよりもわずかに低くなるように構成されているので、図３のように組み立てると、モジュールフランジ７２が弾性変形してモジュール固定突部３９に圧接し、太陽電池モジュール１０が縦桟３と太陽電池モジュール固定部材１の間に固定される。
【００２８】
次に縦桟３の滑り式固定部材保持部５６に新たな桟固定部材４を挿入し、棟側のモジュールフランジ７２に新たな太陽電池モジュール固定部材１を固定部連結板３６に接触させながらモジュール固定突部３９に噛みこませて、太陽電池モジュール固定部材１、雪止め部材８を太陽電池モジュール１０の棟側から縦桟３に取り付ける。
【００２９】
最後に桟固定ボルト５を締め付け、太陽電池モジュール１０を固定する。
これを繰り返し、太陽電池モジュール１０を段状に固定する。
それぞれの太陽電池モジュール１０は、縦桟３の位置で棟側のモジュールフランジ２箇所と軒側のモジュールフランジ２箇所の合計４箇所で太陽電池モジュール固定部材１により固定される。それぞれの太陽電池モジュール固定部材１は棟側の太陽電池モジュール１０と軒側の太陽電池モジュール１０を同時に固定する。棟側の太陽電池モジュール１０と軒側の太陽電池モジュール１０の間には２箇所に太陽電池モジュール固定部材１が配置されてモジュールフランジを固定する。太陽電池モジュール固定部材１のモジュール固定部３５を囲んで雪止め部材８が配置される。雪止め部材８は、それぞれの太陽電池モジュール１０に対して２箇所で雪を止める。
【００３０】
なお、図１、図２に示すように、最も棟側の固定に際しては、雪止め部材８を用いずに、太陽電池モジュール固定部材１のみで固定する。
【００３１】
太陽電池システムは、太陽電池モジュール施工部材と複数の太陽電池モジュール１０とを有する。太陽電池モジュール施工部材により、複数の太陽電池モジュール１０が設置構造２０上に固定される。
【００３２】
本発明の実施の形態１の太陽電池システムでは、雪止め部材８を設けることにより、太陽電池モジュール上に積雪した雪が一気に滑落することを防ぐことができる。
また、太陽電池モジュール固定部材１と、雪止め部材８を別体として構成する事により、それぞれの機能に見合った適切な横幅を選択することが出来るので、縦桟３の付近に部分的に配置することが出来て、安価な構成で、太陽電池モジュールの固定と雪止めという機能を満たすことが出来る。
このように、太陽電池モジュールを固定するための部材と雪止め部とを別体として設けて、固定の機能に必要な構成と、雪止めのために必要な構成とを、それぞれ別々に最適な構成として選択する事により、安価な太陽電池モジュール施工部材を提供することが出来る。
【００３３】
また、太陽電池モジュール固定部材１のモジュール固定部の外側に雪止め部材８の雪止め板の開口部が配置されるので、雪止めを必要としない地域では、雪止め部材を省いても他の施工部材を組み立てることが可能で、雪止め部材８以外の部品の共通化が可能となり、部品の共通化による製造コストの低減を図ることが出来る。
【００３４】
また、太陽電池モジュール固定部材１のモジュール固定部の外側に雪止め部材８の雪止め板の開口部が配置され、図３のように組み立てた時に雪止め部材８の雪止め板と太陽電池モジュール固定部材１のモジュール固定部連結板とが横方向から見て重なるように配置されるので、軒側の太陽電池モジュールと棟側の太陽電池モジュールとを太陽電池モジュール固定部材１で固定した時に、軒側太陽電池モジュールと棟側太陽電池モジュールとの間隔を狭くすることが出来る。
【００３５】
軒側モジュールと棟側モジュールを配列する際に、両者の間隔を狭くすれば、屋根への設置効率を向上することが出来る。軒側モジュールと棟側モジュールとの間には、両者を固定するための太陽電池モジュール固定部材１を設ける必要があり、太陽電池モジュール固定部材１の固定部連結板３６の縦方向の厚みの分だけは、軒側太陽電池モジュールと棟側太陽電池モジュールとの間隔を開ける必要がある。
本発明の実施の形態１の太陽電池システムでは、太陽電池モジュール固定部材１が太陽電池モジュールの横幅に対して部分的に設けられており、太陽電池モジュール固定部材１以外の位置では軒側太陽電池モジュールと棟側太陽電池モジュールとの間に間隔があいている。雪止め部材８の雪止め板４１は、縦桟３側からこの隙間を通って太陽電池モジュール上面より上方に突出する。このように構成する事で、軒側太陽電池モジュールと棟側太陽電池モジュールとの間隔を広げることなく雪止め板を設けることができるので、雪止め機能をもった太陽電池システムを、高い設置効率で配列させることが出来る。
【００３６】
また、図４に示すように、太陽電池モジュール固定部材１は、雪止め部材８の雪止め板４１に設けられた雪止め板開口部４３の内側で太陽電池モジュール１０を固定するので、太陽電池モジュール固定部材１の上方にも雪止め板を設けることが出来、広い横幅で雪を止めることができる。
また、雪止め板４１は、雪止め板開口部４３の上方で横方向に繋がっているので、雪の荷重を受けるために必要な強度を有することが出来る。
【００３７】
また、太陽電池モジュール固定用部材１の底面板固定部３７の上に雪止め部材８が載置されているので、太陽電池モジュール固定用部材１と雪止め部材８とを桟固定部材４に同時にネジ止めすることができるので、施工作業が簡便になり、固定ネジを共通化して材料コストを低減することが出来る。
【００３８】
また、太陽電池モジュール固定部材１と、雪止め部材８を別体として構成する事により、雪止め部材を省いても他の施工部材を組み立てることが可能で、施工箇所によって雪止め部材を省いて施工する事により、雪止め部材の個数を減らすことが出来、雪止め部材のコストを削減することが出来る。例えば図１、図２のように、最も棟側の施工位置では、それより棟側には太陽電池モジュールはなく、雪止め部材を設ける必要が無いので、雪止め部材を省いて施工する事により、雪止め部材のコストを削減することが出来る。
【００３９】
実施の形態２ ．
以下、この発明の実施の形態２を添付図面に基づき詳細に説明する。
図１０は本発明の実施の形態２の分解斜視図である。
図１１は本発明の実施の形態２の斜視図である。
図１２は本発明の実施の形態２の太陽電池モジュール施工部材の太陽電池モジュール固定部材の位置での断面図である。
図１３は本発明の実施の形態２の太陽電池モジュール施工部材の雪止め部材の位置での断面図である。
【００４０】
実施の形態２の太陽電池システムは、太陽電池モジュール固定部材１０１と雪止め部材１０８とが並んで配置され、太陽電池モジュール固定部材１０１と雪止め部材１０８とを支える太陽電池モジュール支持部材１０２を有する点が実施の形態１と異なる。それ以外の構成は実施の形態１の太陽電池システムと同様である。
【００４１】
本発明の実施の形態２の太陽電池システムの太陽電池モジュール固定部材１０１の位置での断面図を図１２に示す。本発明の実施の形態２の太陽電池システムの雪止め部材１０８の位置での断面図を図１３に示す。本発明の実施の形態２の太陽電池モジュール施工部材は、屋根等の設置構造２０上に縦方向に複数配列される縦桟３と、縦桟３上に固定され、太陽電池モジュール１０の横フレームに設けられたフランジの一部を押さえて固定する太陽電池モジュール固定部材１と、太陽電池モジュール固定部材１とは別体として設けられ、桟３に固定され、複数配列される太陽電池モジュール１０の隣り合う横フレームの間から太陽電池モジュール１０の上面より上方に突出する雪止め板を備えた雪止め部材１０８と、縦桟３の天板下部の溝に挿入され、太陽電池モジュール固定部材１０１と雪止め部材１０８とを縦桟３に固定するための桟固定部材４と、太陽電池モジュール固定部材と雪止め部材とを並べて支持する太陽電池モジュール支持部材１０２と、太陽電池モジュール固定部材１０１と太陽電池モジュール支持部材１０２と縦桟３と桟固定部材４とを固定する桟固定ボルト１０５と、雪止め部材と太陽電池モジュール支持部材とを固定する雪止め固定部材１０９とを有する。
太陽電池システムは太陽電池モジュール施工部材と複数の太陽電池モジュール１０とを有する。太陽電池モジュール施工部材により、複数の太陽電池モジュール１０が設置構造２０上に固定される。
【００４２】
太陽電池モジュール固定部材１０１は、底面板と、モジュール固定部と、底面板の端部より垂直上方に設けられて上端でモジュール固定部と連結する固定部連結板とを有する。
底面板には、桟固定ボルト１０５を通すための固定穴が設けられている。
底面板から上方にモジュール固定部連結板が設けられ、上端にモジュール固定部を有する。モジュール固定部は、両端下側にモジュールフランジに圧接するためのモジュール固定突部を有する。
太陽電池モジュール固定部材１０１の横幅としては、太陽電池モジュール１０を４箇所で固定するのに必要な幅が適宜選択される。太陽電池モジュール固定部材１０１の横幅は太陽電池モジュール１０の横幅よりも短く、太陽電池モジュール固定部材１は太陽電池モジュール１０の横フレームの一部を押さえて固定する。例えば横幅が１５０ｍｍの太陽電池モジュール固定部材１を２個用いて太陽電池モジュール１０を支えることが出来る。
【００４３】
雪止め部材１０８は、雪止め板と底面板を有する。この断面形状は、横方向（Ｘ方向）に渡って同一形状であり、横方向のどの位置で切っても同じ断面を有する。
底面板には、雪止め固定部材１０９を通すための固定穴が設けられている。
底面板の棟側端部から上方に雪止め板が設けられる。雪止め板は施工状態で太陽電池モジュールの上面よりも上方に突出するような長さで構成され、太陽電池モジュールの上面に積もった雪の荷重を支えて雪の滑落を防ぐことが出来る。
雪止め部材１０８の横幅としては、雪の荷重を支えるのに必要な幅が適宜選択される。雪止め部材の横幅は太陽電池モジュール１０の横幅よりも短く、太陽電池モジュール１０から部分的に突出する。例えば横幅が２００ｍｍの雪止め部材１０８を２個用いて太陽電池モジュール１０の上面の積雪を支えることが出来る。
【００４４】
太陽電池モジュール支持部材１０２は、底面板と、側面板と、中間板と、天板とを有する。この断面形状は、横方向（Ｘ方向）の全長に渡って同一形状であり、横方向のどの位置で切っても同じ断面を有する。
底面板は側面板と中間板を連結し、中間板と反対側まで伸びて底面板支持部を形成する。底面板支持部には、桟固定ボルト１０５を通して太陽電池モジュール固定部材１０１を固定するための固定部材固定穴と、雪止め固定部材１０９を通して雪止め部材１０８を固定するための雪止め部材固定穴とが設けられている。
底面板支持部の上には、太陽電池モジュール固定部材１０１と雪止め部材１０８が並んで載置される。
太陽電池モジュール支持部材の横幅は、太陽電池モジュール固定部材と雪止め部材とを並べるための幅で構成される。
【００４５】
次に、本発明の実施の形態２の太陽電池システムの施工手順を示す。
施工手順としては、まず縦桟３を屋根の垂木に施工部材固定ねじ２１で固定する。縦桟の固定は実施の形態１と同様である。
【００４６】
次に、太陽電池モジュール固定部材１０１と雪止め部材８と太陽電池モジュール支持部材１０２と太陽電池モジュール１０を軒側から順に施工する。
まず、縦桟３の滑り式固定部材保持部５６に桟固定部材４を挿入する。次に太陽電池モジュール支持部材１０２を縦桟３の上に載置する。次に太陽電池モジュール支持部材１０２の底面板支持部の上に太陽電池モジュール固定部材１０１を載置する。次に、桟固定ボルト１０５を太陽電池モジュール固定部材１０１および太陽電池モジュール支持部材１０２の固定穴に通し、縦桟３の滑り式固定部材保持部５６内に挿入された桟固定部材４のネジ穴に締めこんで太陽電池モジュール固定部材１０１を縦桟３に固定する。
【００４７】
次に、太陽電池モジュール支持部材１０２の底面板支持部の上の、太陽電池モジュール固定部材１０１と横方向に並んだ位置に雪止め部材１０８を載置する。次に、太陽電池モジュール支持部材１０２と雪止め部材１０８を雪止め固定部材１０９で固定する。
【００４８】
次に、太陽電池モジュール１０の軒側のモジュールフランジ７２を、太陽電池モジュール固定部材１０１の固定部連結板に接触させながらモジュール固定突部に噛みこませて、太陽電池モジュール１０を縦桟３の上に載置する。太陽電池モジュール支持部材１０２の底面からモジュール固定突部の下端までの高さは、太陽電池モジュール１の底面からモジュールフランジの上面までの高さよりもわずかに低くなるように構成されているので、図３のように組み立てると、モジュールフランジが弾性変形してモジュール固定突部に圧接し、太陽電池モジュール１０が縦桟３と太陽電池モジュール固定部材１０１の間に固定される。
【００４９】
次に縦桟３の滑り式固定部材保持部５６に別の桟固定部材４を挿入し、棟側のモジュールフランジ７２に新たな太陽電池モジュール固定部材１０１を固定部連結板３６に接触させながらモジュール固定突部３９に噛みこませて、太陽電池モジュール固定部材１０１、雪止め部材１０８、太陽電池モジュール支持部材１０２を太陽電池モジュール１０の棟側から縦桟３に取り付ける。
【００５０】
最後に桟固定用ボルト１０５を締め付け、太陽電池モジュール１０を固定する。
これを繰り返し、太陽電池モジュール１０を段状に固定する。
それぞれの太陽電池モジュール１０は、縦桟３の位置で棟側のモジュールフランジ２箇所と軒側のモジュールフランジ２箇所の合計４箇所で太陽電池モジュール固定部材１０１により固定される。それぞれの太陽電池モジュール固定部材１０１は棟側の太陽電池モジュール１０と軒側の太陽電池モジュール１０を同時に固定する。棟側の太陽電池モジュール１０と軒側の太陽電池モジュール１０の間には２箇所に太陽電池モジュール固定部材１０１が配置されてモジュールフランジを固定する。太陽電池モジュール固定部材１０１のモジュール固定部と並んで雪止め部材１０８が配置される。雪止め部材１０８は、それぞれの太陽電池モジュール１０に対して２箇所で雪を止める。
【００５１】
なお、図１０、図１１に示すように、最も棟側の固定に際しては、雪止め部材１０８を用いずに、太陽電池モジュール固定部材１０１のみで固定する。この時、太陽電池モジュール支持部材の横幅は、太陽電池モジュール固定部材のみを置くための幅で構成される。
【００５２】
太陽電池システムは太陽電池モジュール施工部材と複数の太陽電池モジュール１０とを有する。太陽電池モジュール施工部材により、複数の太陽電池モジュール１０が設置構造２０上に固定される。
【００５３】
本発明の実施の形態２の太陽電池システムでは、雪止め部材１０８を設けることにより、太陽電池モジュール１０上に積雪した雪が一気に滑落することを防ぐことができる。
また、太陽電池モジュール固定部材１０１と、雪止め部材１０８を別体として構成する事により、それぞれの機能に見合った適切な横幅を選択することが出来るので、縦桟３の付近に部分的に配置することが出来て、安価な構成で、太陽電池モジュール１０の固定と雪止めという機能を満たすことが出来る。
このように、太陽電池モジュールを固定するための部材と雪止め部とを別体として設けて、固定の機能に必要な構成と、雪止めのために必要な構成とを、それぞれ別々に最適な構成として選択する事により、安価な太陽電池モジュール施工部材を提供することが出来る。
【００５４】
また、太陽電池モジュール固定部材１０１と雪止め部材１０８が並べて配置されるので、雪止めを必要としない地域では、雪止め部材１０８を省いても他の施工部材を組み立てることが可能で、雪止め部材１０８以外の部品の共通化が可能となり、部品の共通化による製造コストの低減を図ることが出来る。
【００５５】
また、太陽電池モジュール固定部材１０１と雪止め部材１０８とが並んで配置され、組み立てた時に雪止め部材１０８の雪止め板と太陽電池モジュール固定部材１０１のモジュール固定部連結板とが横方向から見て重なるように配置されるので、軒側の太陽電池モジュールと棟側の太陽電池モジュールとを太陽電池モジュール固定部材１０１で固定した時に、軒側モジュールと棟側モジュールとの間隔を狭くすることが出来る。
【００５６】
軒側モジュールと棟側モジュールを配列する際に、両者の間隔を狭くすれば、屋根への設置効率を向上することが出来る。軒側モジュールと棟側モジュールとの間には、両者を固定するための太陽電池モジュール固定部材１０１を設ける必要があり、太陽電池モジュール固定部材１０１の固定部連結板の縦方向の厚みの分だけは、軒側太陽電池モジュールと棟側太陽電池モジュールとの間隔を開ける必要がある。
本発明の実施の形態２の太陽電池システムでは、太陽電池モジュール固定部材１０１が太陽電池モジュールの横幅に対して部分的に設けられており、太陽電池モジュール固定部材１０１以外の位置では軒側太陽電池モジュールと棟側太陽電池モジュールとの間に間隔があいている。雪止め部材１０８の雪止め板は、縦桟３側からこの隙間を通って太陽電池モジュール上面より上方に突出する。このように構成する事で、軒側太陽電池モジュールと棟側太陽電池モジュールとの間隔を広げることなく雪止め板を設けることができるので、雪止め機能をもった太陽電池システムを、高い設置効率で配列させることが出来る。
【００５７】
実施の形態３．
以下、この発明の実施の形態３を添付図面に基づき詳細に説明する。
図１４は本発明の実施の形態３の分解斜視図である。
図１５は本発明の実施の形態３の斜視図である。
【００５８】
実施の形態３の太陽電池システムは、太陽電池モジュール支持部材２０２の横方向の長さが太陽電池モジュール１０の横方向の長さと等しい長さで構成される点が実施の形態２と異なる。それ以外の構成は実施の形態２の太陽電池システムと同様である。
【００５９】
本発明の実施の形態３の太陽電池モジュール施工部材は、屋根等の設置構造２０上に縦方向に複数配列される縦桟３と、縦桟３上に固定され、太陽電池モジュール１０の横フレームに設けられたフランジの一部を押さえて固定する太陽電池モジュール固定部材１０１と、太陽電池モジュール固定部材１０１とは別体として設けられ、桟３に固定され、複数配列される太陽電池モジュールの隣り合う横フレームの間から太陽電池モジュール１０の上面より上方に突出する雪止め板を備えた雪止め部材１０８と、縦桟３の天板下部の溝に挿入され、太陽電池モジュール固定部材１０１と雪止め部材１０８とを縦桟３に固定するための桟固定部材４と、太陽電池モジュール固定部材１０１と雪止め部材１０８とを並べて支持する太陽電池モジュール支持部材２０２と、太陽電池モジュール固定部材１０１と太陽電池モジュール支持部材２０２と縦桟３と桟固定部材４とを固定する桟固定ボルト１０５と、雪止め部材１０８と太陽電池モジュール支持部材２０２とを固定する雪止め固定部材１０９とを有する。
太陽電池システムは太陽電池モジュール施工部材と太陽電池モジュール１０とを有する。太陽電池モジュール施工部材により、太陽電池モジュール１０が設置構造２０上に固定される。
【００６０】
本発明の実施の形態３の太陽電池モジュール支持部材の断面形状は、本発明の実施の形態２の太陽電池モジュール支持部材の断面形状と同様である。
太陽電池モジュール支持部材の横方向の長さは、太陽電池モジュールの横方向の長さと等しい長さで構成される。
【００６１】
次に、本発明の実施の形態３の太陽電池システムの施工手順を示す。
縦桟の固定は実施の形態１と同様である。
【００６２】
次に、太陽電池モジュール固定部材１０１と雪止め部材１０８と太陽電池モジュール固定部材と太陽電池モジュール１０を軒側から順に施工する。
まず、縦桟３の滑り式固定部材保持部５６に桟固定部材４を挿入する。次に、隣り合う２本の縦桟の上に太陽電池モジュール支持部材２０２を載置する。
次に太陽電池モジュール支持部材２０２の底面板支持部の縦桟の位置の上に太陽電池モジュール固定部材１０１を載置する。次に、桟固定ボルト５を太陽電池モジュール固定部材１０１の固定穴に通し、縦桟３の滑り式固定部材保持部５６内に挿入された桟固定部材４のネジ穴に締めこんで太陽電池モジュール固定部材１０１を縦桟３に固定する。
【００６３】
次に、太陽電池モジュール支持部材２０２の底面板支持部の上の、太陽電池モジュール固定部材１０１と横方向に並んだ位置に雪止め部材１０８を載置する。次に、太陽電池モジュール支持部材２０２と雪止め部材１０８を雪止め固定部材１０９で固定する。
【００６４】
次に、太陽電池モジュール１０の軒側のモジュールフランジ７２を、太陽電池モジュール固定部材１０１の固定部連結板に接触させながらモジュール固定突部に噛みこませて、太陽電池モジュール１０を縦桟３の上に載置する。
【００６５】
ここで、太陽電池モジュール支持部材２０２は太陽電池モジュール１０の横幅と同じ幅で設置されているので、雪止め部材１０８は横方向に任意の位置に任意の個数を設置することが出来る。例えば図１２のように、太陽電池モジュール固定部材の外側にそれぞれ１個と、太陽電池モジュール固定部材の間に１個の合計３個を配置することが出来る。固定部材の位置は屋根の垂木のピッチに合わせるため、横方向に隣り合うモジュールで必ずしも均等なピッチで配置される訳ではないが、雪止め部材は垂木ピッチと無関係に任意の位置に設置することが出来るので、モジュールピッチに合わせて均等なピッチで配置することが出来、太陽電池モジュールの上の積雪を均一に支えることが出来る。また、複数の太陽電池モジュールの上面で構成される平面から突出する雪止め部を均等に配置することが出来るので、意匠性に優れた外観を得ることが出来る。
【００６６】
なお、図１４、図１５に示すように、最も棟側の固定に際しては、雪止め部材１０８を用いずに、太陽電池モジュール固定部材１０１のみで固定する。この時、太陽電池モジュール支持部材の横幅は、太陽電池モジュール固定部材のみを置くための幅で構成される。
【００６７】
本発明の実施の形態３の太陽電池システムでは、雪止め部材１０８を設けることにより、太陽電池モジュール１０上に積雪した雪が一気に滑落することを防ぐことができる。
また、太陽電池モジュール固定部材１０１と、雪止め部材１０８を別体として構成する事により、それぞれの機能に見合った適切な横幅を選択することが出来るので、縦桟３の付近に部分的に配置することが出来て、安価な構成で、太陽電池モジュールの固定と雪止めという機能を満たすことが出来る。
このように、太陽電池モジュールを固定するための部材と雪止め部とを別体として設けて、固定の機能に必要な構成と、雪止めのために必要な構成とを、それぞれ別々に最適な構成として選択する事により、安価な太陽電池モジュール施工部材を提供することが出来る。
【００６８】
また、太陽電池モジュール固定部材１０１と雪止め部材１０８とが別体で配置されるので、雪止めを必要としない地域では、雪止め部材を省いても他の施工部材を組み立てることが可能で、雪止め部材１０８以外の部品の共通化が可能となり、部品の共通化による製造コストの低減を図ることが出来る。
【００６９】
また、太陽電池モジュール固定部材１０１と雪止め部材１０８とが並んで配置され、組み立てた時に雪止め部材１０８の雪止め板と太陽電池モジュール固定部材１０１のモジュール固定部連結板とが重なるように配置されるので、軒側の太陽電池モジュールと棟側の太陽電池モジュールとを太陽電池モジュール固定部材１０１で固定した時に、軒側モジュールと棟側モジュールとの間隔を狭くすることが出来る。
【００７０】
軒側モジュールと棟側モジュールを配列する際に、両者の間隔を狭くすれば、屋根への設置効率を向上することが出来る。軒側モジュールと棟側モジュールとの間には、両者を固定するための太陽電池モジュール固定部材１０１を設ける必要があり、太陽電池モジュール固定部材１０１の固定部連結板の縦方向の厚みの分だけは、軒側太陽電池モジュールと棟側太陽電池モジュールとの間隔を開ける必要がある。
本発明の実施の形態３の太陽電池システムでは、太陽電池モジュール固定部材１０１が太陽電池モジュールの横幅に対して部分的に設けられており、太陽電池モジュール固定部材１０１以外の位置では軒側太陽電池モジュールと棟側太陽電池モジュールとの間に間隔があいている。雪止め部材１０８の雪止め板は、縦桟３側からこの隙間を通って太陽電池モジュール上面より上方に突出する。このように構成する事で、軒側太陽電池モジュールと棟側太陽電池モジュールとの間隔を広げることなく雪止め板を設けることができるので、雪止め機能をもった太陽電池システムを、高い設置効率で配列させることが出来る。
【００７１】
また、雪止め部材１０８は垂木ピッチと無関係に任意の位置に設置することが出来るので、モジュールピッチに合わせて均等なピッチで配置することが出来、太陽電池モジュール１０の上の積雪を均一に支えることが出来る。また、複数の太陽電池モジュール１０の上面で構成される平面から突出する雪止め部１０８を均等に配置することが出来るので、意匠性に優れた外観を得ることが出来る。
【符号の説明】
【００７２】
１  太陽電池モジュール固定部材
３  縦桟
４  桟固定部材
５  桟固定ボルト
６  太陽電池モジュールフレーム
７  太陽電池モジュールパネル
８  雪止め部材
１０  太陽電池モジュール
２０  設置構造
２１  施工部材固定ねじ
３１  底面板
３２  側面板
３３  中間板
３４  天板
３５  モジュール固定部
３６  固定部連結板
３７  底面板固定部
３８  固定穴
３９  モジュール固定突部
４１  雪止め板
４２  雪止め固定板
４３  雪止め板開口部
５１  縦桟天板
５２  縦桟側面板
５３  縦桟底面板
５４  開口部
５５  滑り式固定部材保持板
５６  滑り式固定部材保持部
６１  軒側横フレーム
６２  棟側横フレーム
７１  フレーム側面
７２  モジュールフランジ
７３  フレーム上面
７４  フレーム下面
７５  パネル保持面
１０１  太陽電池モジュール固定部材
１０２  太陽電池モジュール支持部材
１０９  雪止め固定部材
２０２  太陽電池モジュール支持部材
【図１】
0006048383.tif 000002
【図２】
0006048383.tif 000003
【図３】
0006048383.tif 000004
【図４】
0006048383.tif 000005
【図５】
0006048383.tif 000006
【図６】
0006048383.tif 000007
【図７】
0006048383.tif 000008
【図８】
0006048383.tif 000009
【図９】
0006048383.tif 000010
【図１０】
0006048383.tif 000011
【図１１】
0006048383.tif 000012
【図１２】
0006048383.tif 000013
【図１３】
0006048383.tif 000014
【図１４】
0006048383.tif 000015
【図１５】
0006048383.tif 000016